(57)【特許請求の範囲】
【請求項１】
固定枠と開放枠とが連環状に構成されて成り、この状態で中央部に中空部を確保するように枠組みされた墓石個材に対し、前記固定枠が中空部の周囲に内嵌め状に固定されるものであり、前記固定枠と開放枠とは、それぞれ調節機構を有し、枠寸法を調節自在としていることを特徴とする墓石の耐震用器具。
【請求項２】
前記墓石個材は、墓石における中台を構成するものであり、中台を構成する横台石、裏挟石とに対し、前記固定枠が内嵌め状に固定され、前記開放枠は、中台の裏挟石と対向する正面に配された水鉢に臨む面に配設されていることを特徴とする請求項１記載の墓石の耐震用器具。
【請求項３】
前記固定枠は、左右一対の側背部連結板と一対の奥行設定板とが組み合わされて成り、前記各側背部連結板は、墓石個材における固定部材との固定位置を選択できるように長孔状としたボルト孔により、前記調節機構を構成し、更に奥行設定板は、その前方寄りに開放枠との接続部を具えるとともに、奥部側に墓石個材における固定部材との固定位置を選択することができるように長孔状としたボルト孔を有し、このボルト孔により前記調節機構を構成していることを特徴とする請求項１または２記載の墓石の耐震用器具。
【請求項４】
前記一対の側背部連結板の相互、並びに側背部連結板と各奥行設定板との相互は、それぞれのボルト孔を重ね合わせて、墓石個材における固定部材に対して共締め状に固定されることを特徴とする請求項１、２または３記載の墓石の耐震用器具。
【請求項５】
前記一対の側背部連結板の相互、並びに側背部連結板と各奥行設定板との相互が共締め状に固定されるにあたっては、座金板が設けられるものであり、この座金板は、側背部連結板と各奥行設定板との高さ寸法に近い高さ寸法を具え、一方長さ寸法は、高さ寸法より大きく設定した帯板状部材であることを特徴とする請求項４記載の墓石の耐震用器具。
【請求項６】
前記固定枠は、後背部固定片と側面部固定片とを具えた側背部連結板を左右一対に組み合わせることによって構成され、且つ側背部連結板に設けられた墓石との固定用ボルト孔は、長孔状に構成されていることを特徴とする請求項１、２、３、４または５記載の墓石の耐震用器具。
【請求項７】
前記開放枠は、ユニオンネジ機構を有し、幅寸法の調節機構とすることを特徴とする請求項１、２、３、４、５または６記載の墓石の耐震用器具。
【請求項８】
前記開放枠と、固定枠とは、遊接構造を具えた遊接用接続部を介して接続されていることを特徴とする請求項１、２、３、４、５、６または７記載の墓石の耐震用器具。
【請求項９】
前記遊接用接続部は、これを構成する接続片にメネジが設けられ、このメネジにより墓石個材に設けられたアンカーボルトに固定枠を共締め状態に固定することを特徴とする請求項８記載の墓石の耐震用器具。
【請求項１０】
前記開放枠には、更に水鉢との固定構造を具えていることを特徴とする請求項１、２、３、４、５、６、７、８または９記載の墓石の耐震用器具。
【請求項１１】
前記側背部連結板と、座金とのいずれか一方または双方には、それぞれが接触状態であることが好ましい対応部材に対し、接触状態を見掛け上維持するようにする空隙押さえボルトが設けられていることを特徴とする請求項３、４、５、６、７、８、９または１０記載の墓石の耐震用器具。
【請求項１２】
基台部と石塔部とを具え、前記石塔部は、中央部に中空部を有する中台または芝台を具えるものであり、この中台又は芝台を構成する墓石個材に対し、中空部周縁に嵌まり合うように請求項１〜１１のいずれか１項に記載の墓石の耐震用器具を嵌込固定したことを特徴とする墓石。
【発明の詳細な説明】
【技術分野】
【０００１】
本発明は、地震発生時に墓石の石塔部を構成する竿石等の倒壊を防ぐ、墓石の耐震用器具並びにこれを具えた墓石に関するものである。
【背景技術】
【０００２】
我が国の伝統的な墓石として、石塔状に墓石個材を積み重ねた形態がある。この構成は、具体的には基台部上に石塔部を立てたものであって、この石塔部は、まず基台部上にほぼ平板に広がる芝台を設け、その上に中台、上台、竿石を順次重ねた形態を採る。
これらの個々の部材の組み合わせにあたっては、石材用の接着剤やモルタル等による接着等に留まっているが、これら各構成部材は、それぞれ相応の重量を有することから、この程度の固定手段であっても風雨雪等には充分耐え得る。
【０００３】
しかしながら地震発生時、その揺れが過大な時には、墓石の倒壊は、免れ得ない。この倒壊は、当然ながら最も安定を欠く頂部の竿石の倒壊が殆どであるが、その倒壊に繋がる現象としては、竿石が揺れて倒壊に至ることもさることながら、むしろそれを支承する台となっている中台等の構成部材が、枠組状態を維持できず分離してしまい、結果的に竿石あるいはそれを直接支持している上台を支承できない状態となってしまうことが指摘されている。
具体的には、竿石と上台とは、それぞれ単一部材であるが、上台を更に下で支承する中台や芝台については、多くは別体の３片あるいは４片のブロック状の墓石個材を組み合わせて構成されており、これらが地震の揺れ、衝撃により分離し、これによって上台や竿石がその支えを失って倒壊する現象が起きているのである。
【０００４】
勿論このような倒壊メカニズムに注目して、中台、芝台等の各構成部材をコーナー部等においてＬ型金具等で固定する対策（特許文献１、特許文献２）が採られている。しかしながらコーナー部にこのような部材を設ける時には、アンカーナット等の取り付けにあたり、墓石個材が充分な強度を発揮せず、割れてしまう等の問題があり、必ずしも充分な対応とはなっていない。
勿論、施工した際には、破損がない状態と見えたとしても、破損に至らないひび割れができてしまっていると地震の揺れ等を受けたときには、その部分が容易に破損し、結果的にそのような補強は役立たないことが指摘されている。
【特許文献１】特開２００６−６３６０９号公報
【特許文献２】特開２００７−２６５３号公報
【発明の開示】
【発明が解決しようとする課題】
【０００５】
本発明は、このような墓石の倒壊のメカニズムの究明とともに従来採られていた対応策が充分ではない点を考慮してなされたものであって、効果的且つ実用的な墓石の耐震用器具並びにこれを具えた墓石の開発を試みたものである。
【課題を解決するための手段】
【０００６】
請求項１記載の墓石の耐震用器具は、固定枠と開放枠とが連環状に構成されて成り、この状態で中央部に中空部を確保するように枠組みされた墓石個材に対し、前記固定枠が中空部の周囲に内嵌め状に固定されるものであり、前記固定枠と開放枠とは、それぞれ調節機構を有し、枠寸法を調節自在としていることを特徴として成るものである。
【０００７】
請求項２記載の墓石の耐震用器具は、前記請求項１記載の要件に加え、前記墓石個材については、墓石における中台を構成するものであり、中台を構成する横台石、裏挟石とに対し、前記固定枠が内嵌め状に固定され、前記開放枠は、中台の裏挟石と対向する正面に配された水鉢に臨む面に配設されていることを特徴として成るものである。
【０００８】
請求項３記載の墓石の耐震用器具は、前記請求項１または２記載の要件に加え、前記固定枠については、左右一対の側背部連結板と一対の奥行設定板とが組み合わされて成り、前記各側背部連結板は、墓石個材における固定部材との固定位置を選択できるように長孔状としたボルト孔により、前記調節機構を構成し、更に奥行設定板は、その前方寄りに開放枠との接続部を具えるとともに、奥部側に墓石個材における固定部材との固定位置を選択することができるように長孔状としたボルト孔を有し、このボルト孔により前記調節機構を構成していることを特徴として成るものである。
【０００９】
請求項４記載の墓石の耐震用器具は、前記請求項３記載の要件に加え、前記一対の側背部連結板の相互、並びに側背部連結板と各奥行設定板との相互については、それぞれのボルト孔を重ね合わせて、墓石個材における固定部材に対して共締め状に固定されることを特徴として成るものである。
【００１０】
請求項５記載の墓石の耐震用器具は、前記請求項４記載の要件に加え、前記一対の側背部連結板の相互、並びに側背部連結板と各奥行設定板との相互が共締め状に固定されるにあたっては、座金板が設けられるものであり、この座金板は、側背部連結板と各奥行設定板との高さ寸法に近い高さ寸法を具え、一方長さ寸法は、高さ寸法より大きく設定した帯板状部材であることを特徴として成るものである。
【００１１】
請求項６記載の墓石の耐震用器具は、前記請求項１、２、３、４または５記載の要件に加え、前記固定枠については、後背部固定片と側面部固定片とを具えた側背部連結板を左右一対に組み合わせることによって構成され、且つ側背部連結板に設けられた墓石との固定用ボルト孔は、長孔状に構成されていることを特徴として成るものである。
【００１２】
請求項７記載の墓石の耐震用器具は、前記請求項１、２、３、４、５または６記載の要件に加え、前記開放枠については、ユニオンネジ機構を有し、幅寸法の調節機構とすることを特徴として成るものである。
【００１３】
請求項８記載の墓石の耐震用器具は、前記請求項１、２、３、４、５、６または７記載の要件に加え、前記開放枠と、固定枠とは、遊接構造を具えた遊接用接続部を介して接続されていることを特徴として成るものである。
【００１４】
請求項９記載の墓石の耐震用器具は、前記請求項１、２、３、４、５、６、７または８記載の要件に加え、前記開放枠と、固定枠とについては、遊接構造を具えた遊接用接続部を介して接続されていることを特徴として成るものである。
【００１５】
請求項１０記載の墓石の耐震用器具は、前記請求項１、２、３、４、５、６、７、８または９記載の要件に加え、前記開放枠には、更に水鉢との固定構造を具えていることを特徴として成るものである。
【００１６】
請求項１１記載の墓石の耐震用器具は、前記請求項３、４、５、６、７、８、９または１０記載の要件に加え、前記側背部連結板と、座金とのいずれか一方または双方には、それぞれが接触状態であることが好ましい対応部材に対し、接触状態を見掛け上維持するようにする空隙押さえボルトが設けられていることを特徴として成るものである。
【００１７】
請求項１２記載の墓石の耐震用器具を具えた墓石は、基台部と石塔部とを具え、前記石塔部は、中央部に中空部を有する中台または芝台を具えるものであり、この中台又は芝台を構成する墓石個材に対し、中空部周縁に嵌まり合うように前記請求項１〜１１のいずれか１項に記載の墓石の耐震用器具を嵌込固定したことを特徴として成るものである。
【発明の効果】
【００１８】
まず請求項１記載の発明によれば、固定枠と開放枠とが連環状に組み合わされて、それ自体十分な強度を発揮した状態で、このものが中空部を確保するように枠組みされた墓石個材に対し固定されるから、それらの枠組み状態を充分に維持することができる。結果的に地震の揺れ・衝撃が生じた場合であっても、その枠組状態を維持し、その上方において支承する竿石等の石塔部を構成する部材の倒壊を防止する。  また墓石の耐震用器具は、その枠寸法を調節自在としており、墓石の寸法が異なった場合でも、汎用的に適用し得るものである。
【００１９】
また請求項２記載の発明によれば、耐震用器具を地震の揺れが激しいときに最も分離する傾向のある中台に適用するものであり、結果的に墓石の倒壊を効果的に防止することができる。
【００２０】
また請求項３記載の発明によれば、固定枠が側背部連結板と、奥行設定板とより構成され、より合理的な寸法設定調整が可能な形態を採る。
【００２１】
また請求項４記載の発明によれば、構成部材が共締め状態に墓石個材に対し、固定されるので、固定作業にあたっての作業個所が少なく、作業能率が高く且つ合理的な固定がなし得る。
【００２２】
また請求項５記載の発明によれば、共締め状態に固定されるにあたっては、更に座金が設けられるから、固定部における強度がより強化される。
【００２３】
また請求項６記載の発明によれば、現存の墓石における寸法ムラ等の種々の実情に合わせて、実際に作業する場合も考慮した現実的な構造のものが得られる。
【００２４】
また請求項記７載の発明によれば、開放枠は、ユニオンネジ機構を採用するものであり、その幅方向の寸法調節を極めて容易に行うことができる。
【００２５】
また請求項８記載の発明によれば、現存の墓石における寸法ムラ等の種々の実情に合わせて、実際に作業する場合も考慮した現実的な構造のものが得られる。
【００２６】
また請求項９記載の発明によれば、開放枠と、固定枠の手前側の固定部位とがほぼ一直線状に配置されることとなり、開放枠による補強作用が合理的に発揮される。
【００２７】
また請求項１０記載の発明によれば、開放枠には、更に水鉢との固定手段を具えるものであり、地震発生時に水鉢が離脱することも確実に防止することができる。
【００２８】
また請求項１１記載の発明によれば、耐震用器具を設置するにあたり、設置個所において好ましくない空隙部が生じた場合に、ボルトであたかも空隙部を埋めるように調節し、見掛け上空隙部を排除して、より安定した耐震作用を発揮させることができる。
【００２９】
また請求項１２記載の発明によれば、充分耐震補強された墓石を提供することができ、防災面でも効果を発揮する。
【発明を実施するための最良の形態】
【００３０】
本発明を実施するための最良の形態は、以下述べる実施例をその一つとすると共に、この技術思想に基づく種々の改良した実施例も含むものである。
【実施例１】
【００３１】
以下、本発明に係る墓石の耐震用器具１を図示の実施例に基づいて具体的に説明する。
このものは、墓石１０に組み込まれてその倒壊を防ぐものであり、主要部材として固定枠２と開放枠３とを有するものである。
まず本発明の墓石の耐震用器具１の説明に先立ち、伝統的な墓石１０の形態について説明する。墓石１０は、図１に示すように基台部１１と、石塔部１２とが組み合わされて成る。因みに強い地震の揺れを受けた際には、積み重ね状に設けられた石塔部１２の倒壊事故が発生することがある。基台部１１は、図示の実施例では墓苑の地面上に形成された状態を採るが、墓苑敷地の状況、地域、個々の家族のしきたり・宗派等により、基台部１１がそのものは地中に収められるような形態を採るものなどの種々形態が存在する。基台部１１は、その内部を石室１１０とし、その上面は均し石１１１によりほぼ平面状に形成される。一方、石塔部１２は、前記基台部１１における均し石１１１上に個々の墓石個材を積み重ねて搭状に形成するものである。
なお、特許請求の範囲及びこの実施例の説明中において、「墓石個材」と称する場合、墓石１０を構成する個々の部位あるいは、それぞれの部位において幾つかの石材が組み合わされている場合における個々の石材を含む構成要素を総称する意味として用いるものである。
【００３２】
まず石塔部１２の最も下方には芝台１３が設けられるものであって、この芝台１３は、前記基台部１１の上面を構成する均し石１１１上にを設けられる。このものは比較的広い面を有する平板状の部材である。この芝台１３の上方には、中台１４が設けられ、更に中台１４の前面側には、水鉢１５が配され、更に中台１４の上方には、上台１６が重ねられ、更にその上に碑銘等が書き込まれる竿石１７が立設される。
このうち前記芝台１３と、中台１４とについては、石室１１０への納骨等の作業に具えて、石室１１０と連通する開口が中央に区画されるものである。具体的には、前記芝台１３については、前棚石１３１、横挟石１３２、奥押石１３３により、ほぼ矩形の枠組状に構成され、中央部に中空部１３Ｓが形成される。
一方中台１４は、左右一対の横台石１４１と、それらに挟まれるように構成される裏挟石１４２と、により平面視でコ字状に形成され、その中央部に中空部１４Ｓが区画されるものであり、前記石室１１０まで連通している。
このようなコ字状配置の中台１４の前面の開口部は、水鉢１５によって塞がれた状態となっている。そして一般的には各墓石個材は、相応の重量があることから、石材用接着剤、あるいはモルタル材等の接着剤を利用した目地仕上げによって、接着状態を維持している。そしてこのような中空部１３Ｓ、中空部１４Ｓに対して、本発明の耐震用器具１を適用する。
【００３３】
以下本発明の耐震用器具１について具体的に説明する。
この耐震用器具１は、主要部材である固定枠２と、開放枠３とが一例として平面視ほぼ正方形の枠状となるように連環状に組み合わされたものである。このものが一例として前記中台１４に固定されるものであり、具体的には横台石１４１、裏挟石１４２に対して固定して取り付けられる。
耐震用器具１の主要の構成部材の一つである固定枠２は、図１、２、３、４に示すように側背部連結板２０と、奥行設定板２１と、これら各部材を連結するために用いられる座金２２と、連結部位を調整し、耐震用器具１の枠寸法を変更する調整機構２３とを有する。
【００３４】
まず側背部連結板２０は、左右一対のものでありこれらを区別して説明する場合には、図面に向かって左側ものを左側背部連結板２０Ｌと、右側のものを右側背部連結板２０Ｒとして表示する。各側背部連結板２０は、それぞれＬ字状に屈曲した金属製の例えばステンレスの帯板状部材であり、屈曲した一方を後背部固定片２０１とし、他方を側面部固定片２０２とする。
これらのものは、一対に組み合わせられて全体としてコ字状となるものであるが、特に後背部固定片２０１においては、一方の右側背部連結板２０Ｒについては、合わせ用逃げ部２０３を構成するように途中から幾分内側にずれるように構成されている。これにより、左右の左側背部連結板２０Ｌ、右側背部連結板２０Ｒが後背部固定片２０１の部位において重なり合った場合であっても、その外側端面が連続した面を維持するように構成されているものである。
なお合わせ用逃げ部２０３は、側面部固定片２０２の部位においては左側背部連結板２０Ｌ、右側背部連結板２０Ｒともに形成されるものであり、この部位は、奥行設定板２１を受け入れるために構成されているものである。
【００３５】
そして前記後背部固定片２０１には、後背部のボルト孔２０４、がそれぞれ形成されるものであり、いずれも長孔状に構成されている。このボルト孔２０４の構成によりボルトの受け入れ位置を適宜移動できるようにして、図４に示すように墓石１０における中空部１３Ｓ、１４Ｓの寸法等に合わせられるように枠寸法を調整自在に構成している。なおこのような長孔状のボルト孔が実質的に調整機構２３を構成している。
【００３６】
一方側面部固定片２０２には、同様に側面部のボルト孔２０５が長孔状に形成されているものである。この実施例ではボルト孔２０５については、側面部固定片２０２の自由端まで延長され、孔部の一部が開放された状態となっているが、後背部固定片２０１のボルト孔２０４と同様に両側が塞がった長孔状としてもよい。更にまたその奥部寄りに空隙押さえボルト２０６が設けられる。
なお側背部連結板２０を墓石１０における墓石個材に固定するにあたり、例えば図１、２、３、４に示すように中台１４に取り付ける場合に、固定部材であるアンカーナット１４Ｎを中空部１４Ｓを区画している横台石１４１、裏挟石１４２の内壁面に設ける。
本発明の目的に照らすと、アンカーナット１４Ｎのサイズは、Ｍ１０×１．５からＭ８×１．２５の規格が適しているが、これに限られるものではない。
【００３７】
このアンカーナット１４Ｎの配設位置は、中台１４を構成している墓石個材である横台石１４１、裏挟石１４２のそれぞれほぼ中心部に設けられていることから、アンカーナット１４Ｎを設置するにあたってドリル下穴に固定する場合、墓石の割れが殆んどない。因みにこのようなアンカーナット１４Ｎの形成が隅部あるいは端部で行われた場合には、打込作業時にそこからの欠損が生じやすい。
勿論アンカーナット１４Ｎを固定部材として適用した場合、耐震用器具１を固定するにあたってボルトが締め込まれるものであるが、アンカーナット１４Ｎに変えて、墓石個材側にスタッドボルト状にアンカーボルトを立ち上げるようにしてもよい。
【００３８】
次に奥行設定板２１について説明する。
このものは、一対の側背部連結板２０が組み合わされて全体としてほぼコ字状の枠を形成した際、その自由端側の側面部固定片２０２の、一例として外側に沿って配設されるものであり、ほぼ一枚の金属部材により構成される。
このものは、その前端側に開放枠３との接続部２１１を形成するものであり、この実施例では、強度等を考慮し、奥行設定板２１の端部を折り返して平面視で袋状に構成している。そして、接続部２１１の内側面に、接続用スリット２１２をその上方を開放させた状態でほぼ垂直に形成する。なおこの接続用スリット２１２は、後述する開放枠３の両端部を受入接続するものであり、この目的を達成できるかぎりにおいて、このようなスリット状以外の例えば丸穴状や凹状等適宜の形状を採り得る。
一方奥行設定板２１の奥部側端部には、長孔状のボルト孔２１３を設けるものであり、このものも一例としてボルト孔２１３の奥行側端部は開放されている。
なおこの奥行設定板２１が、側背部連結板２０に対し接続され場合において前記側面部固定片２０２は、合わせ用逃げ部２０３が形成されていることより、奥行設定板２１が重なり状態で組み合わされても、その外側の接続端面が平面状を維持している。
【００３９】
次に、一対の側背部連結板２０の後背部ボルト孔２０４における接続部、及び側面部固定片２０２における奥行設定板２１との接続部の固定ボルト４に対して適用される座金２２について説明する。
このものは、側背部連結板２０と奥行設定板２１との結合をより強固にするものであり、単なる平丸板状のワッシャではなく、充分な高さ、長さ、を有する素材を用い、このもの自体強度メンバとして寄与するものようにしている。具体的には、ほぼ平板状の座金２２は、その高さ寸法を側背部連結板２０又は奥行設定板２１の高さ寸法と同じで、且つ長さ寸法はそれよりも充分長くしたいわば短寸帯板状のものである。そしてこの座金２２は、その中央部に下端側を切り離し状態に開放した長孔状のボルト孔２２１を有する。更にその上縁部は、一部僅かに折り曲げて被せ縁２２２を構成し、アングル状断面として、その強度を向上させている。また座金２２には、その前端寄りに空隙押さえボルト２２３が設けられる。
なお調整機構２３は、このような前記側背部連結板２０の長孔状のボルト孔２０４、２０５、前記奥行設定板２１における長孔状のボルト孔２１３をその実質的構成とするものである。
【００４０】
次に固定枠２に対して、その前面側の開放端に設けられる開放枠３について説明する。
このものは、いわゆるユニオンネジ機構により左右幅が同時に調整できるような構成を採ることが好ましい。符号３１は、両端ロッドであり、実質的にはそれぞれ左右逆ネジのボルトにより構成されている。そして両端ロッド３１は、中央のバックルナット３２において接続されるような構成を採る。両端ロッド３１におけるボルト頂部３１１は、奥行設定板２１における接続部２１１に係止し、更にその係止状態をロックナット３１２で確保しているものである。
一方の両端ロッド３１とバックルナット３２とのネジ合わせ部位には、その状態を確保するためロックナット３２１設けている。
なお作業上の便を考慮し、ロックナット３１２、ロックナット３２１については、いずれか一方または双方を、蝶ネジ状としてスパナ等の工具がない場合であっても操作できるようにしておくこと好ましい。
【００４１】
本発明の耐震用器具１は、以上述べたような具体的な構成を有するものを一実施例とするものであり、このものを墓石１０に組み付ける状態を説明しながらその作用を説明する。
まず墓石１０を新規に組み立てる場合においては、この耐震用器具１を中台１４に適用するときには、その上部の墓石個材たる上台１６、竿石１７がない状態で作業が行われる。具体的には、分解状態の横台石１４１、裏挟石１４２に対し、これを作業工場等の段階で所定の位置にアンカーナット１４Ｎを打ち込む。このような状態で現場において中台１４を仮組みした状態で、まず固定枠２における側背部連結板２０を横台石１４１、裏挟石１４２に固定してゆく。この作業にあたっては、当初、固定ボルト４を完全に締め込まないような仮組みを行い、後調整ができる状態に取り付けておく。この際左右の側背部連結板２０における後背部固定片２０１は、共締め状態となっている。
次いで前記奥行設定板２１を側面部固定片２０２に外側に沿うように差込み、同様に側面部固定片２０２と共締め状態に仮止めする。
【００４２】
このような状態で一対の側背部連結板２０は、中台１４における中空部１４Ｓの横寸法いっぱいに拡げた状態で座金２２を当てがいながら固定していく。従って作業としては、側面部固定片２０２における固定ボルト４をまず締め込み、一対の側背部連結板２０の幅寸法を決めた状態で、後背部固定片２０１において固定ボルト４を締め込み、その位置を決定する。その後再度側面部固定片２０２を幾分か緩め、前記奥行設定板２１の前後への移動を許容するような状態としておく。一方このこの状態で開放枠３は、両端ロッド３１におけるボルト頂部３１１を、側背部連結板２０の接続部２１１における接続用スリット２１２の内側に係止するものであって、この両端が係止できる状態をバックルナット３２のねじ込み加減により調整する。このような一連の作業において、前記奥行設定板２１、座金２２は、それぞれボルト孔２１３、２２１が、その一端を開放状態としていることから、まず固定ボルト４を仮ねじ込みした時点で、上記各部材を後挿入して設定することができ、作業が極めて行い易い。このような状態で寸法設定が成された後は、適宜位置決めのために完全な締め込みがなされていなかった固定ボルト４、開放枠３の両端ロッド３１におけるロックナット３１２、バックルナット３２におけるロックナット３２１を本締めすることにより設定状態を固定する。この作業により、実質的に中台１４における横台石１４１と裏挟石１４２とが一体に組み付けられた状態となる。
【００４３】
ところでこの際に、例えば比較的奥行設定板２１が前方手前側に張り出しているような状態の時、その前端部において押さえが充分でない状況が生じる。このような状況に対しては、前記座金２２における空隙押さえボルト２２３を締め込むことにより、対応する部材である奥行設定板２１を外側に張り出すように押さえ込む。これによって奥行設定板２１の接続部２１１寄りの部位が中台１４の横台石１４１から浮いているような場合において、これを密着させるような作用をすることになり、ここに生じた空隙を排除した状態となっている。同様に側背部連結板２０においてこのような空隙が生じた場合には、前記側背部連結板２０における空隙押さえボルト２０６の締め込みにより同様の作業で対応する部材である中台１４を構成する墓石個材との間の空隙を排除する。
そしてこのような状態で、中台１４がセットされた後は、その前方に水鉢１５を配すると共に、上台１６と竿石１７とを立設する。
【００４４】
また新たな納骨が行われる場合には、前記中台１４の前面における水鉢１５を取り外すとともに、その開口部を塞ぐように形成されている開放枠３のロックナット３１２、ロックナット３２１を解除し、更にバックルナット３２の締め込みを緩めて、開放枠３を固定枠２から上にずらすように外して納骨作業を行うのである。
勿論この際に、例えば側背部連結板２０の側面部固定片２０２を押さえている固定ボルト４を緩めれば、奥行設定板２１を伴って開放枠３ごと引き出すようにする操作も可能である。
【００４５】
また墓石１０の形態としては、例えば水鉢１５を外して納骨する形態のほか、基台部１１に納骨用の扉を形成し、そこから納骨作業ができるような形態のものが存在する。このような場合には、更に積極的に水鉢１５についても固定することができる。この場合、実質的な製品構成を考慮すると汎用性を持ったことが好ましいから、図５に示すように別途奥行設定板２１に係止できるような水鉢固定板３５を任意部品として用意する。そして、水鉢１５の内側にアンカーナット１５Ｎを設けておき、それを水鉢固定ボルト３６をボルト孔３７から差込み、これによって固定するような構成をとってもよい。
【００４６】
勿論、このような水鉢固定板３５のほか、既に述べたターンバックル状の開放枠３の場合には、バックルナット３２の中心には、固定ナット受け入れ得るような間隔があることから、この部位を利用してナットを固定してもよい。
【００４７】
〔他の実施の形態〕
本発明は以上述べた実施の形態を一つの好適な技術思想の具現例とするものであるが、最も基本的な技術思想は、固定枠２と開放枠３とが組み合わされているものである。まず別途墓石１０における中空部１３Ｓ、１４Ｓの寸法に合わせるべくスペーサーを用意することも可能である。また先に述べた実施例にはおいては、墓石１０の中空部１３Ｓあるいは１４Ｓは、矩形状であることから矩形枠状に構成されているが、骨壷Ｐ等の挿入が可能な寸法が確保できる範囲において図６に示すように、一部のコーナー部において、これを斜設するようなブレース状に配することも可能である。
【００４８】
更に、既存の墓石１０に補強工事のために耐震用器具１を取り付ける場合の実情に合わせた実施例が、図７から図９に示すものである。
既存の墓石１０は、実際には中台１４の形状を見ても、横台石１４１、裏挟石１４２、水鉢１５などが、必ずしも正確に矩形状に配されているわけではなく、例えばいわゆるピン角が出ていなかったり、あるいは横台石１４１の平行が出ていなかったり、更にはアンカーナット１４Ｎが設けられる中空部１４Ｓの互いに対向する内壁面が平行でないなどの種々の状況が存在している。これらの状況を考慮すると、更に固定枠２と開放枠３との間で墓石の仕上がりが不正確な状況であっても、耐震用器具１の取り付けを可能とする接続手法が求められており、これに対応したものである。
【００４９】
即ち、まず固定枠２についてみると、先に述べた実施例と異なり、左右一対の側背部連結板２０が固定されて固定枠２を構成されている。先の実施例のような奥行設定板２１は、具えていない。従って、このものは、それぞれ左右の側背部連結板２０Ｌ、２０Ｒは、ともに後背部固定片２０１において長穴状のボルト孔２０４によって互いの幅寸法を調節できるように構成されている。
また、側面部固定片２０２のボルト孔２０５については、同様に長穴状に構成されるものであり、後背部固定片２０１に近い側と、開放枠３に近い側とに奥行方向前後に片側に２カ所構成されている。また図示の実施例では、固定枠２の上下端辺部を覆うようにいわゆる溝ゴム等を適用した保護カバー２Ｃを設けている。この保護カバー２Ｃは、実用上は持ち運び時あるいは取り付け作業時の作業者の手の保護として効果的であり、墓石１０に取り付けるにあたっては、取り外してもよい。もちろん図示のようにそのまま利用すれば墓石１０との密着と緩衝的な取り付け仕上がりが可能となる。なお、符号２０Ｂは、後背部固定片２０１と側面部固定片２０２とを結ぶブレースロッドである。
【００５０】
そして、固定枠２と開放枠３との固定にあたっては、遊接用接続部２５を介して両者が接続れていることが特徴である。このものは、比較的板厚の厚い側面視Ｌ字状に曲げられた接続片本体２５０を基礎部材とするものであり、立ち上げられられた一片を墓石固定片２５１とし、この下端側から内側に張り出す部位を開放枠接続片２５２とし、これらが一体に形成されている。
そして前記墓石固定片２５１には、一例として高ナット状のメネジ２５３が固定されるとともに、その上方には、位置決めボルト２５４が設けられている。このメネジ２５３によって、接続片本体２５０を墓石個材に固定するものであり、従って、対応する墓石個材側の固定部材としては、先に述べた実施例のようなアンカーナット１４Ｎではなく、アンカーボルト１４Ｂを横台石１４１の中空部１４Ｓ側の側壁部に植設している。
【００５１】
一方開放枠接続片２５２に対しては、開放枠受けボルト２５５をスタッドボルト状に上方に立ち上げており、この設置位置の中心は、一例として前記メネジ２５３中心を通っている。ちなみにメネジ２５３と開放枠受けボルト２５５との中心が合致していることは、開放枠３を固定した際に、開放枠３の延長上に前記アンカーボルト１４Ｂが位置することとなり、これらが一直線上に並んで保持強度を高めることができるためである。
【００５２】
この開放枠受けボルト２５５には、開放枠接続片２５２の上面に乗るようにクッションベース２５６が嵌め込まれるものであり、適宜の厚さのゴム等が用いられるものである。
そして、このクッションベース２５６上には、ワッシャ２５７が一対設けられており、このものが、後述する開放枠３における両端ロッド３１のアイ型頂部３１３を挟み込んだ上で固定ボルト２５８により両端ロッド３１を固定する構造となっているものである。
【００５３】
一方、この両端ロッド３１におけるアイ型頂部３１３は、前記開放枠受けボルト２５５の直径より充分径の大きな開口部を具えているものであり、この構造と、前記クッションベース２５６の構造との作用により、この接続形態が種々の姿勢を採り得る。この形態を遊接構造Ｕという。この遊接構造Ｕは、いわばユニバーサルジョイント状のものであり、この構成以外にも、接続姿勢等の融通性が利くものであれば、適宜のボールジョイント状のものなどを適用できることは言うまでもない。
以下、この実施例における固定枠２と開放枠３との取り付け施工並びに両者の固定について更に説明する。
【００５４】
まず固定枠２は、先の実施例と同様、アンカーナット１４Ｎ、アンカーボルト１４Ｂを利用して適宜例えば中台１４の中空部１４Ｓにコ字状の枠として取り付けられる。特にアンカーボルト１４Ｂに対しては、遊接用接続部２５を構成する接続片本体２５０におけるメネジ２５３をあてがい、前記固定枠２における側背部連結板２０を共締めした状態で固定する。もちろん、このような取り付け手法の場合、最も締めこんだ状態で必ずしも接続片本体２５０が所望の姿勢にならないことも予想されるが、現実にはスプリングワッシャの調整作用により、所望の姿勢を得ながら最も締めこんだ状態で保持し、例えば位置決めボルト２５４を閉めこんで、その先端を横台石１４１に当てて一定の姿勢維持、即ち墓石固定片２５１が上方に向き、開放枠接続片２５２が水平状態を保つような姿勢を採るのである。もちろん、位置決めボルト２５４を締めこんでゆくにあたり、その受け位置に予め浅い受け穴を横台石１４１に設けておくのである。このようにして左右それぞれ、遊接用接続部２５を固定した後に、前記開放枠受けボルト２５５にクッションベース２５６を嵌め込み、更にワッシャ２５７を挿入する。
【００５５】
この状態で、開放枠３を構成する両端ロッド３１におけるアイ型頂部３１３を開放枠受けボルト２５５に嵌め込み、その上方から別途ワッシャ２５７をあてがった上、固定ボルト２５８で締めこんでゆくのである。このとき、アイ型頂部３１３の平面と開放枠接続片２５２とが合致していない場合、あるいは左右の接続片本体２５０の位置がずれていた場合でも、アイ型頂部３１３の内径が開放枠受けボルト２５５より充分大きいこと、更にクッションベース２５６が適宜撓み得ることにより、正確な寸法設定がなされていなくとも固定枠２と開放枠３との接続が成しうるのである。なおこのような遊接用接続部２５の構造は、先に述べた実施例のように固定枠２に奥行設定板２１を適用したタイプのものであっても、もとより適用が可能である。
【００５６】
更にこれら以外の実施例として図示を省略するが、次のような改変もできる。即ち本発明は、枠状に組み合わされている例えば中台１４等の固定を目的としているが、これに加えて上下方向の墓石個材をも接続固定しても差し支えない。例えば、固定ボルト４を利用して、上台１６中央を接続する帯金状部材を共締めすることにより、上記手段が実施し得る。
【図面の簡単な説明】
【００５７】
【図１】本発明の墓石の耐震用器具の使用状態を示す斜視図である。
【図２】同上分解斜視図である。
【図３】同上平面図であり、部分拡大図を併せて示すものである。
【図４】同上寸法設定の状態を示す平面図である。
【図５】同上他の実施例を示す斜視図である。
【図６】同上更に他の実施例を示す平面図である。
【図７】同上更に他の実施例を示す斜視図である。
【図８】同上更に他の実施例を示す平面図である。
【図９】同上更に他の実施例を示す正面断面図である。
【図１０】同上更に他の実施例を示す背面断面図である。
【符号の説明】
【００５８】
１        耐震用器具
２        固定枠
２Ｃ      保護カバー
３        開放枠
４        固定ボルト
１０      墓石
１１      基台部
１１０    石室
１１１    均し石
１２      石塔部
１３      芝台
１３１    前棚石
１３２    横挟石
１３３    奥押石
１３Ｓ    中空部
１４      中台
１４１    横台石
１４２    裏挟石
１４Ｓ    中空部
１４Ｎ    アンカーナット
１４Ｂ    アンカーボルト
１５      水鉢
１５Ｎ    アンカーナット
１６      上台
１７      竿石
２０      側背部連結板
２０Ｌ    左側背部連結板
２０Ｒ    右側背部連結板
２０Ｂ    ブレースロッド
２０１    後背部固定片
２０２    側面部固定片
２０３    合わせ用逃げ部
２０４    （後背部）ボルト孔
２０５    （側面部）ボルト孔
２０６    空隙押さえボルト
２１      奥行設定板
２１１    接続部
２１２    接続用スリット
２１３    ボルト孔
２２      座金
２２１    ボルト孔
２２２    被せ縁
２２３    空隙押さえボルト
２３      調整機構
２５      遊接用接続部
２５０    接続片本体
２５１    墓石固定片
２５２    開放枠接続片
２５３    メネジ
２５４    位置決めボルト
２５５    開放枠受けボルト
２５６    クッションベース
２５７    ワッシャ
２５８    固定ボルト
３１      両端ロッド
３１１    ボルト頂部
３１２    ロックナット
３１３    アイ型頂部
３２      バックルナット
３２１    ロックナット
３５      水鉢固定板
３６      水鉢固定ボルト
３７      ボルト孔
Ｕ        遊接構造
Ｐ        骨壷
【図１】
0005268399.tif 000002
【図２】
0005268399.tif 000003
【図３】
0005268399.tif 000004
【図４】
0005268399.tif 000005
【図５】
0005268399.tif 000006
【図６】
0005268399.tif 000007
【図７】
0005268399.tif 000008
【図８】
0005268399.tif 000009
【図９】
0005268399.tif 000010
【図１０】
0005268399.tif 000011